(57)【要約】【課題】互いに異なる深さ寸法の筐体を有する分電盤の種類に依らず、共通化した構造で内器を分電盤の筐体内に取り付けることのできる分電盤の内器用取付部材、分電盤の調整部材、分電盤の筐体、分電盤、及びそれを用いた分電盤システムを提供する。【解決手段】内器４を取り付ける取付板５０と、取付板５０を取り付ける固定台５１とを備え、互いに異なる深さ寸法の筐体を有する複数種類の分電盤の何れにも取付可能な共通の構造であり、固定台５１は、最も深さ寸法の小さい筐体では、筐体の内底面に設けたレール部材６に直接取り付け、その他の深さ寸法の筐体では、筐体の深さ寸法に応じた長さ寸法の複数の支柱７０を有する調整部材７を介してレール部材６に取り付ける。【選択図】図１
2014014236.tif 000002
【特許請求の範囲】
【請求項１】
分電盤に収納する内器を取り付ける取付板と、前記取付板を取り付ける固定台とを備え、互いに異なる深さ寸法の筐体を有する複数種類の前記分電盤の何れにも取付可能な共通の構造であり、前記固定台は、最も深さ寸法の小さい前記筐体では、前記筐体の内底面に設けたレール部材に直接取り付け、その他の深さ寸法の前記筐体では、前記筐体の深さ寸法に応じた長さ寸法の複数の支柱を有する調整部材を介して前記レール部材に取り付けることを特徴とする分電盤の内器用取付部材。
【請求項２】
分電盤の筐体の深さ寸法に応じた長さ寸法の複数の支柱を備え、前記筐体の内底面に設けたレール部材と、前記分電盤に収納する内器を取り付けるとともに互いに異なる深さ寸法の前記筐体を有する複数種類の前記分電盤の何れにも取付可能な共通の構造から成る内器用取付部材との間に前記各支柱を配置することを特徴とする分電盤の調整部材。
【請求項３】
前記各支柱の一端部を固定して前記各支柱を支持する基台部を備え、前記各支柱は、前記筐体の幅方向に沿った前記基台部への取付位置を調整可能であることを特徴とする請求項２記載の分電盤の調整部材。
【請求項４】
前記各支柱は、前記筐体の深さ方向に沿った長さ寸法を調整可能であることを特徴とする請求項２又は３記載の分電盤の調整部材。
【請求項５】
内底面に取り付けるレール部材を備え、前記レール部材は、長手方向に沿って一定の間隔を空けて貫設する複数の孔部を有し、前記孔部には、分電盤に収納する内器を取り付けるとともに互いに異なる深さ寸法の筐体を有する複数種類の前記分電盤の何れにも取付可能な共通の構造から成る内器用取付部材、又は前記筐体の深さ寸法に応じた長さ寸法の複数の支柱を有する調整部材を取付ボルトを介して取付可能であることを特徴とする分電盤の筐体。
【請求項６】
前記孔部は、前記取付ボルトの頭部を挿入可能な寸法の大孔部と、前記取付ボルトの軸部を挿入可能な寸法の小孔部とから成り、前記大孔部と前記小孔部とが繋がっていることを特徴とする請求項５記載の分電盤の筐体。
【請求項７】
前記レール部材は、接合することにより前記内底面に取り付けることを特徴とする請求項５又は６記載の分電盤の筐体。
【請求項８】
請求項１記載の前記内器用取付部材と、請求項５乃至７の何れか１項に記載の前記筐体とを備えることを特徴とする分電盤。
【請求項９】
請求項２乃至４の何れか１項に記載の前記調整部材を備えることを特徴とする請求項８記載の分電盤。
【請求項１０】
互いに異なる深さ寸法の請求項５乃至７の何れか１項に記載の前記筐体を有する複数種類の分電盤のうち何れかを選択し、前記選択した分電盤は、請求項１記載の前記内器用取付部材と、請求項２乃至４の何れか１項に記載の前記調整部材とを備えることを特徴とする分電盤システム。
【発明の詳細な説明】
【技術分野】
【０００１】
本発明は、分電盤の内器用取付部材、分電盤の調整部材、分電盤の筐体、分電盤、及びそれを用いた分電盤システムに関する。
【背景技術】
【０００２】
従来から、主幹開閉器や分岐開閉器などの内器を収納した分電盤が知られており、例えば特許文献１に開示されている。この分電盤は、縦長の筐体と、筐体内に収納される主幹開閉器及び複数の分岐開閉器と、各開閉器の前面側を覆うように筐体に取着される保護板と、筐体の一端側において開閉自在に枢支され、保護板の前面側を覆う外蓋とを備えている。
【０００３】
筐体の背面板の幅方向両端側には、縦長板状の取付部材をねじを用いて取り付けている。各取付部材には、長手方向に沿って複数の取付孔を一定の間隔で設けている。そして、両取付部材には、主幹開閉器を取り付けるための略矩形板状の取付ベースと、分岐開閉器を取り付けるための略矩形板状の取付ベースとがねじを用いて取り付けられている。
【先行技術文献】
【特許文献】
【０００４】
【特許文献１】特開２００８−１６０９９９号公報
【発明の概要】
【発明が解決しようとする課題】
【０００５】
ところで、上記従来例のような分電盤は、その設置スペースによって筐体の深さ寸法に制約がある。例えば、設置スペースが狭い場所では、深さ寸法の小さい筐体を有する分電盤を設置しなければならない。しかしながら、内器を分電盤の筐体内に取り付ける構造は、分電盤の種類毎に異なっている。このため、分電盤の種類毎にそれぞれ専用の内器取付用の部材を製造しなければならず、製造工程が多岐に亘るために製造工程が煩雑になり、更に製造コストも増大するという問題があった。
【０００６】
本発明は、上記の点に鑑みて為されたもので、互いに異なる深さ寸法の筐体を有する分電盤の種類に依らず、共通化した構造で内器を分電盤の筐体内に取り付けることのできる分電盤の内器用取付部材、分電盤の調整部材、分電盤の筐体、分電盤、及びそれを用いた分電盤システムを提供することを目的とする。
【課題を解決するための手段】
【０００７】
本発明の分電盤の内器用取付部材は、分電盤に収納する内器を取り付ける取付板と、前記取付板を取り付ける固定台とを備え、互いに異なる深さ寸法の筐体を有する複数種類の前記分電盤の何れにも取付可能な共通の構造であり、前記固定台は、最も深さ寸法の小さい前記筐体では、前記筐体の内底面に設けたレール部材に直接取り付け、その他の深さ寸法の前記筐体では、前記筐体の深さ寸法に応じた長さ寸法の複数の支柱を有する調整部材を介して前記レール部材に取り付けることを特徴とする。
【０００８】
本発明の分電盤の調整部材は、分電盤の筐体の深さ寸法に応じた長さ寸法の複数の支柱を備え、前記筐体の内底面に設けたレール部材と、前記分電盤に収納する内器を取り付けるとともに互いに異なる深さ寸法の前記筐体を有する複数種類の前記分電盤の何れにも取付可能な共通の構造から成る内器用取付部材との間に前記各支柱を配置することを特徴とする。
【０００９】
この分電盤の調整部材において、前記各支柱の一端部を固定して前記各支柱を支持する基台部を備え、前記各支柱は、前記筐体の幅方向に沿った前記基台部への取付位置を調整可能であることが好ましい。
【００１０】
この分電盤の調整部材において、前記各支柱は、前記筐体の深さ方向に沿った長さ寸法を調整可能であることが好ましい。
【００１１】
本発明の分電盤の筐体は、内底面に取り付けるレール部材を備え、前記レール部材は、長手方向に沿って一定の間隔を空けて貫設する複数の孔部を有し、前記孔部には、分電盤に収納する内器を取り付けるとともに互いに異なる深さ寸法の筐体を有する複数種類の前記分電盤の何れにも取付可能な共通の構造から成る内器用取付部材、又は前記筐体の深さ寸法に応じた長さ寸法の複数の支柱を有する調整部材を取付ボルトを介して取付可能であることを特徴とする。
【００１２】
この分電盤の筐体において、前記孔部は、前記取付ボルトの頭部を挿入可能な寸法の大孔部と、前記取付ボルトの軸部を挿入可能な寸法の小孔部とから成り、前記大孔部と前記小孔部とが繋がっていることが好ましい。
【００１３】
この分電盤の筐体において、前記レール部材は、接合することにより前記内底面に取り付けることが好ましい。
【００１４】
本発明の分電盤は、上記内器用取付部材と、上記何れかの筐体とを備えることを特徴とする。
【００１５】
この分電盤において、上記何れかの調整部材を備えることが好ましい。
【００１６】
本発明の分電盤システムは、互いに異なる深さ寸法の上記何れかの前記筐体を有する複数種類の分電盤のうち何れかを選択し、前記選択した分電盤は、上記内器用取付部材と、上記何れかの前記調整部材とを備えることを特徴とする。
【発明の効果】
【００１７】
本発明は、内器を取り付ける内器用取付部材を、互いに異なる深さ寸法の筐体を有する複数種類の分電盤の何れにも取付可能な共通の構造で構成している。したがって、本発明では、互いに異なる深さ寸法の筐体を有する分電盤の種類に依らず、共通化した構造で内器を分電盤の筐体内に取り付けることができる。
【図面の簡単な説明】
【００１８】
【図１】本発明に係る分電盤の実施形態を示す全体斜視図である。
【図２】同上の分電盤の分解斜視図である。
【図３】同上の分電盤における内器用取付部材を示す分解斜視図である。
【図４】同上の分電盤における調整部材の一例を示す図で、（ａ）は斜視図で、（ｂ）は幅を調整する手段の説明図である。
【図５】同上の分電盤における調整部材の他の例を示す図で、（ａ）は斜視図で、（ｂ）〜（ｄ）は深さを調整する手段の説明図である。
【図６】同上の分電盤における調整部材のレール部材への取付例を示す図で、（ａ）は基台部を用いる場合の平面図で、（ｂ）は基台部を用いない場合の平面図で、（ｃ）はレール部材の要部拡大図である。
【発明を実施するための形態】
【００１９】
以下、本発明に係る分電盤の実施形態について図面を用いて説明する。なお、以下の説明では、図１に示す矢印で上下左右方向、及び前後方向を定めるものとする。本実施形態は、図１，２に示すように、ボックス１（筐体）と、内器４を取り付ける内器用取付部材５と、１対のレール部材６と、調整部材７とを備える。
【００２０】
ボックス１は、上下方向に長尺な矩形箱状に形成している。ボックス１の前面には、縦長矩形状の開口部１Ａを設けている。ボックス１の内部には、回路遮断器、制御リレー、電磁接触器、電力量計等の電気機器で構成される内器４を収納する。ボックス１には、開口部１Ａを塞ぐ形で後述する保護板３を取り付けている。また、ボックス１前面の開口部１Ａの周囲には、前方に向かって突出する角筒状の枠体１０を全周に亘って設けている。この枠体１０には、その開口を塞ぐ形でドア２を取り付けている。
【００２１】
ドア２は、後面を開口した扁平な矩形箱状に形成している。ドア２の縦横（上下左右）の寸法は、枠体１０の開口の縦横の寸法とほぼ同じである。ドア２は、図示しない取付手段により、枠体１０の開口を塞ぐ位置と開放する位置との間で開閉自在となるようにボックス１に取り付けている。
【００２２】
保護板３は、ボックス１内に収納した内器４等の充電部を覆い隠すもので、後面を開口した扁平な矩形箱状に形成している。保護板３の縦横の寸法は、ボックス１の開口部１Ａの縦横の寸法とほぼ同じである。保護板３は、図示しない取付手段により、開口部１Ａを塞ぐ位置と開放する位置との間で開閉自在となるようにボックス１に取り付けている。また、保護板３の前面には、主幹開閉器４０、分岐開閉器４１、制御リレー４２の操作部を外部に臨ませるための窓孔３０を複数貫設している。したがって、保護板３を閉じた状態でも、各開閉器４０，４１及び制御リレー４２の操作部を操作することができる。また、内器４としてボックス１内に電力量計を収納する場合には、保護板３０を閉じた状態でも、窓孔３０を介して電力量計の表示部を視認することができる。
【００２３】
内器用取付部材５は、図３に示すように、１乃至複数（本実施形態では３枚）の取付板５０と、１対の固定台５１とから成る。各取付板５０には、図示しないが内器４をねじ止めするためのねじ穴を複数貫設している。各取付板５０の前面には、それぞれ内器４を種類毎に分けて取り付ける。例えば、本実施形態では、上側の取付板５０に主幹開閉器４０を取り付け、下側の取付板５０に制御リレー４２を取り付け、中間の取付板５０に分岐開閉器４１を取り付けている。また、各取付板５０の左右両端縁には、それぞれ１乃至複数の挿入孔５０Ａを貫設している。
【００２４】
各固定台５１は、上下方向に沿って長尺な矩形板状の主板５１Ａと、主板５１Ａの左右両端からそれぞれ後向きに突出する矩形板状の側板５１Ｂ，５１Ｃとから成る。主板５１Ａには、複数の挿入孔５１Ｄを上下方向に沿って一定の間隔を空けて貫設している。したがって、各取付板５０の各挿入孔５０Ａと、固定台５１の挿入孔５１Ｄとを重ね合わせ、取付ねじ（図示せず）を挿入して螺合することで、各取付板５０を各固定台５１に取り付けることができる。なお、各取付板５０の各固定台５１への取付位置は、適宜変更することができる。
【００２５】
各レール部材６は、図６（ａ）に示すように、上下方向に沿って長尺な矩形板状の部材である。各レール部材６は、左右方向に一定の間隔を空けてボックス１の内底面に接合する。各レール部材６をボックス１の内底面に接合する手段としては、例えばねじ止め、溶接、カシメ等がある。各レール部材６の前面には、複数の孔部６０を上下方向に沿って一定の間隔を空けて貫設している。
【００２６】
各孔部６０は、図６（ｃ）に示すように、取付ボルト８の頭部８０を挿入可能な寸法の大孔部６０Ａと、取付ボルト８の軸部８１を挿入可能な寸法の小孔部６０Ｂとから成る。なお、大孔部６０Ａと小孔部６０Ｂとは繋がっている。この大孔部６０Ａに取付ボルト８の頭部８０を挿入した後に、小孔部６０Ｂへとスライドすることで、軸部８１が小孔部６０Ｂに係合する。これにより、取付ボルト８を孔部６０に仮止めすることができる。なお、取付ボルト８を孔部６０に仮止めした状態で、軸部８１の前端部は各レール部材６の前方へと突出する。この軸部８１の前端部は、後述する調整部材７の基台部７１の挿入孔７１Ａに挿入することができる。
【００２７】
調整部材７は、図２に示すように、１対の支柱７０と、基台部７１とから成る。各支柱７０は、前後方向に沿って長尺な角筒状の部材である。各支柱７０の上端部には、取付ねじを挿入するための挿入孔７０Ａを貫設している。この挿入孔７０Ａの内周縁には、取付ねじが螺合する雌ねじ（図示せず）を形成している。この挿入孔７０Ａと、内器用取付部材５の固定台５１の挿入孔５１Ｄとを重ね合わせて、取付ねじを挿入して螺合することで、各支柱７０に各固定台５１を取り付けることができる。
【００２８】
基台部７１は、左右方向に沿って長尺な矩形板状の部材である。基台部７１の前面には、左右方向に沿って一定の間隔を空けて各支柱７０の下端部を固定している。これにより、基台部７１は各支柱７０を支持している。また、基台部７１の左右両端には、取付ボルト８の軸部８１を挿入するための挿入孔７１Ａをそれぞれ貫設している。したがって、各挿入孔７１Ａを各レール部材６の孔部６０に重ね合わせ、取付ボルト８の軸部８１を挿入してナット９を締め付けることにより、基台部７１を各レール部材６に取り付けることができる（図６（ａ）参照）。
【００２９】
なお、図６（ｂ）に示すように、基台部７１を用いずに各支柱７０を直接各レール部材６に取り付けてもよい。この構成の場合、各支柱７０の下端部には、取付ボルト８の軸部８１を挿入するための挿入孔（図示せず）を貫設する。また、この挿入孔の内周縁には、軸部８１が螺合する雌ねじ（図示せず）を形成する。したがって、各支柱７０下端部の挿入孔を各レール部材６の孔部６０に重ね合わせ、取付ボルト８の軸部８１を挿入して締め付けることにより、各支柱７０を各レール部材６に直接取り付けることができる。
【００３０】
調整部材７は、分電盤のボックス１の深さ寸法に応じて各支柱７０の長さ寸法を変更したものや、取付板５０の左右方向の幅寸法に応じて各支柱７０の基台部７１への取付位置を変更したものを適宜用意する。
【００３１】
その他、図４（ａ），（ｂ）に示すように、各支柱７０の基台部７１への取付位置を調整可能な調整部材７’を用いてもよい。この調整部材７’では、図４（ｂ）に示すように、基台部７１に複数のねじ穴７１Ｂを長手方向に沿って一定の間隔を空けて貫設している。また、各支柱７０の下端部には、取付ねじを挿入するための挿入孔（図示せず）を貫設している。この第２挿入孔の内周縁には、取付ねじが螺合する雌ねじ（図示せず）を形成している。
【００３２】
したがって、何れかのねじ穴７１Ｂと支柱７０の挿入孔とを重ね合わせて、該ねじ穴７１Ｂ及び挿入孔に取付ねじを挿入して螺合することにより、各支柱７０を基台部７１の所望の位置に取り付けることができる。すなわち、この調整部材７’では、ボックス１の幅方向（左右方向）に沿って各支柱７０の基台部７１への取付位置を変更することができる。
【００３３】
また、図５（ａ），（ｂ）に示すように、各支柱７０の長さ寸法を調整可能な調整部材７”を用いてもよい。この調整部材７”では、図５（ｂ）に示すように、各支柱７０は、第１支柱７２と、第２支柱７３とから成る。第１支柱７２は、中空の角筒状に形成したもので、その下端部を基台部７１に固定する。また、第１支柱７２の何れかの側面には、１対のねじ穴７２Ａを貫設している。第２支柱７３は角筒状に形成したもので、第１支柱７２の空洞部に挿入可能な寸法である。第２支柱７３の上端部には、挿入孔７０Ａを設けている。また、第２支柱７３の側面には、取付ねじを挿入するための１対の挿入孔７３Ａを貫設している。各挿入孔７３Ａの内周縁には、取付ねじが螺合する雌ねじ（図示せず）を形成している。したがって、第１支柱７２の各ねじ穴７２Ａと第２支柱７３の各挿入孔７３Ａとを重ね合わせて、取付ねじを挿入して螺合することにより、第２支柱７３を第１支柱７２に取り付けることができる。
【００３４】
ここで、調整部材７”では、ボックス１の深さ方向（上下方向）の寸法に応じて、長さ寸法の異なる第２支柱７３に交換することで、ボックス１の深さ方向に沿って各支柱７０の長さ寸法を変更することができる。例えば、図５（ｃ）に示すように、第２支柱７３よりも上下方向の長さ寸法の小さい第２支柱７３’を第１支柱７２に取り付けてもよい。更には、第１支柱７２を基台部７１に固定する代わりに、第２支柱７３，７３’を直接基台部７１に固定してもよい。
【００３５】
なお、調整部材７”の各支柱７０は、図５（ｄ）に示すように、第１支柱７２’と、第２支柱７３とで構成してもよい。この第１支柱７２’の何れかの側面には、複数対のねじ穴７２Ａを上下方向に沿って一定の間隔を空けて貫設している。したがって、第１支柱７２’の何れかのねじ穴７２Ａと第２支柱７３の挿入孔７３Ａとを重ね合わせて、取付ねじを挿入して螺合することにより、第２支柱７３を第１支柱７２’の所望の深さ位置に取り付けることができる。この構成では、第２支柱７３を交換する必要がない。
【００３６】
ここで、分電盤のボックス１は、その設置スペースに応じて種々の深さ寸法を取りうる。そして、本実施形態の内器用取付部材５は、互いに異なる深さ寸法のボックス１を有する複数種類の分電盤のうち、最も深さ寸法の小さいボックス１を有する分電盤に合わせて設計している。すなわち、内器用取付部材５は、互いに異なる深さ寸法のボックス１を有する複数種類の分電盤の何れにも取付可能な共通の構造となっている。なお、取付可能とは、保護板３を閉じた状態で内器４（例えば、主幹開閉器４０や分岐開閉器４１）の操作部が窓孔３０から突出して操作できるように、内器用取付部材５をボックス１内に配置可能であることを示す。
【００３７】
したがって、最も深さ寸法の小さいボックス１を有する分電盤であれば、調整部材７を用いずに、各レール部材６に内器用取付部材５を直接取り付けることができる。また、他の異なる深さ寸法のボックス１を有する分電盤であれば、調整部材７を介して内器用取付部材５を各レール部材６に取り付けることで、ボックス１の深さ寸法に合わせて内器用取付部材５の位置を調整することができる。
【００３８】
上述のように、本実施形態では、内器４を取り付ける内器用取付部材５を、互いに異なる深さ寸法のボックス１を有する複数種類の分電盤の何れにも取付可能な共通の構造で構成している。したがって、本実施形態では、互いに異なる深さ寸法のボックス１を有する分電盤の種類に依らず、共通化した構造で内器４を分電盤のボックス１内に取り付けることができる。
【００３９】
なお、本実施形態の分電盤の他に、例えば調整部材７を用いない最も深さ寸法の小さいボックス１を有する分電盤や、他の異なる深さ寸法のボックス１を有する分電盤を組み合わせて、分電盤システムを構成することができる。
【符号の説明】
【００４０】
１  ボックス（筐体）
４  内器
５  内器用取付部材
５０  取付板
５１  固定台
６  レール部材
６０  孔部
７  調整部材
７０  支柱
７１  基台部
【図１】
2014014236.tif 000003
【図２】
2014014236.tif 000004
【図３】
2014014236.tif 000005
【図４】
2014014236.tif 000006
【図５】
2014014236.tif 000007
【図６】
2014014236.tif 000008